(57)【要約】      （修正有）【課題】周知のディスク収納用スリムケース１内に、粘着せずに簡単自在にセットでき、しかも収納ディスクも一緒に露見できる、背と裏面にまたがる背束表紙を提供する。【解決手段】周知のディスク収納用スリムケース１の、透明蓋２背束部４内にほぼピッタリはまるよう、２本の背折筋８でコの字形に表束面９背面１０裏束面１１の順で折り入り、続いて境を仕切レール上折筋１２にして、表紙１３が透明蓋２の手前ツメ６をくぐり通って適当長さに延長した、全形が長方形紙で適当位置に所望の印刷を施したものであり、表紙１３を透明蓋２のほぼ全面を覆う大きさや、透明蓋２の天地幅にほぼピッタリ合わせた幅や、所望数のミシン切目を縦に通したものとしてもよく、背束表紙単体の所望数を、それぞれの境にミシン切目を縦に通して横一列に連続させてもよい。【選択図】図６
0003143260.tif 000002
【実用新案登録請求の範囲】
【請求項１】
周知のディスク収納用スリムケース１の透明蓋２背束部４内にほぼピッタリはまるように、２本の背折筋８でコの字形に折って表束面９・背面１０・裏束面１１を成し、さらに裏束面１１端を仕切レール上折筋１２に成し、それに続いて表紙１３が、透明蓋２表面部５内の手前ツメ６より長く延長した、全形が長方形紙で適当位置に所望の印刷を施した、ディスク収納スリムケース内装着背束表紙。
【請求項２】
表紙１３の長さを周知のスリムケース１の、透明蓋２表面部５内のほぼ全面を覆う長さにした、請求項１記載のディスク収納スリムケース内装着背束表紙。
【請求項３】
表紙１３の天地幅を周知のスリムケース１の、透明蓋２表面部５内の天地幅にほぼピッタリ入るよう若干大きくした、請求項１−２いずれかに記載のディスク収納スリムケース内装着背束表紙。
【請求項４】
表紙１３に所望数のミシン切目１４を縦に通し、所望の長さに表紙１３をカットできるようにした、請求項１−２−３いずれかに記載のディスク収納スリムケース内装着背束表紙。
【請求項５】
ディスク収納スリムケース内装着背束表紙の単体所望数を、境にミシン切目１４を入れて横一列に連続さた、請求項１−２−３−４いずれかに記載のディスク収納スリムケース内装着束表紙。
【考案の詳細な説明】
【技術分野】
【０００１】  本考案は、周知のディスク収納用スリムケース１における、透明蓋２内の背束部４と表面部５に装着する、カード紙やシール紙に関するものである。
【背景技術】
【０００２】  ディスクを収納するプラスチック製スリムケース１の透明蓋２内には、表面部５にジャケット・ケースカード・インデックスカード等を、背束部４に背ラベル等を装着して、それらにディスクの記録内容等を記入することにより、スリムケース１に収納したディスクの内容を外見で把握できるようにし、取扱にも便利なようにしていた。
【考案の開示】
【考案が解決しようとする課題】
【０００３】  ジャケット・ケースカード・インデックスカード・背ラベル等において、シール仕様のものは、スリムケース１に貼り替える際、剥がしにくく手間がかかる上、粘着剤の跡が残って汚すこともある。またスリムケース１透明蓋２内の背束部４と表面部５の２ケ所に、別々にセットや記入する手間がかかり、しかも透明蓋２の表面部５全面を覆い隠すので、収納ディスクが全く見えなくなって確認できず、透明蓋２にしている意味が無くなるもので、これら前述の欠点を解決しようとするものである。
【課題を解決するための手段】
【０００４】  本考案は、上記の目的を達成するために、周知のディスク収納用スリムケース１の透明蓋２背束部４内にほぼピッタリはまるように、２本の背折筋８でコの字形に折って表束面９・背面１０・裏束面１１を成し、さらに裏束面１１端を仕切レール上折筋１２に成し、それに続いて表紙１３が、透明蓋２表面部５内の手前ツメ６より長く延長した、全形が長方形紙で適当位置に所望の印刷を施したものである。【０００５】  また前記の表紙１３の長さを、透明蓋２表面部５内のほぼ全面を覆う長さにしてもよい上、その表紙１３にさらに所望数のミシン切目１３を縦に通し、所望の長さに表紙１３をカットできるようにしてもよく、またこれら前述の表紙１３の天地輻を、透明蓋２表面部５内の天地幅にほぼピッタリ入るよう若干大きくしてもよく、さらにその上、前述の本考案の背束表紙単体所望数を、境にミシン切目１４を入れて横一列に連続させてもよく、このようにして前記の問題点を解決したものである。
【考案の効果】
【０００６】  上述のように本考案に、スリムケース１透明蓋２内の背束部４から表面部５まで、またがって一枚で簡単・迅速に固定装着できる効果があり、また表面部５全面を覆わない長さの表紙１３にしにした場合、表紙１３と収納ディスクを一緒に露見できるので、ディスク内容の判明がしやすく、ディスクの入れ忘れや間違いも防げる効果がある。さらに、粘着シールを用いない紙製なので、スリムケース１にはめ込むだけで、簡単自在にスリムケース１にセットや取り外しができ、粘着剤跡で汚れない効果がある。
【考案を実施するための最良の形態】
【０００７】  図６に示すように、周知のディスク収納用スリムケース１はプラスチック製で、その透明蓋２内は、仕切レール３によって背束部４と表面部５に区分けされ、表面５内の四隅部にケースカード等を挟んでセットするツメ６が付いたものであり、その構造が有効に作用されるように、本考案の背束表紙が構成されたものである。【０００８】  そのために図１に示すように、２本の背折筋８で表束面９・背面１０・裏束面１１をコの字形に折って、小冊子の背束様を成して透明蓋２背束部４内にほぼピッタリ添ってはまるようにし、さらに裏束面９から表紙１３が、表面部５内の手前側のツメ６をくぐり抜け、表面部５内に添って所望の長さに連続延長したものだが、両者の境が仕切レール３上になるので、その境に仕切レール上折筋１２を入れ、背束部４と表面部５に折りまたがってセットされるようにしたものである。また本考案の背束表紙は、図５に示すように全形を長方形紙とし、適当位置にタイトル・データ・記録内容・装飾等の所望の印刷を施したものである。
【実施例】
【０００９】  また図２に示すように、表紙１３の長さを透明蓋２表面部５内のほぼ全面を覆う長さにしてもよく、またスリムケース１表面部５の天地幅が、背束部４より若干広くなっているため、図３に示すように、それに合わしてそれぞれ前述の表紙１３を、表面部５内にほぼピッタリ差し込めるよう、表紙１３の天地幅を若干大きくしてもよく、さらにこれら前述の表紙１３に所望数のミシン切目１４を縦に通して入れ、所望の大きさにカットできるようにしてもよく、また図４に示すように、前述のこれら本考案の背束表紙単体を、所望数横一列に連続させ、それぞれの境にミシン切目１４を通して入れ帯状にし、パソコンでプリント出力し易いようにもして、使用の際にそれぞれを切り離せるようにしてもよい。【００１０】  本考案は上述の如き構成から成るものであるから、コの字に折った表束面９・背面１０・裏束面１１を、スリムケース１透明蓋２内の背束部４に入れると、表束面９が背束部４内表面に密着して仕切りレール３に突き当たってはまり、同時に背面１０が背束部４内の背に密着して押し入り、そこから裏束面１１が表束面９と平行に折り返って、これらが背束部４にほぼピッタリはまると、仕切レール３上に仕切レール上折筋１２が山折りとなって当り、続く表紙１３が表面部５内の手前のツメ６をくぐって、表紙１裏面が表面部５内に接して表わるものである。この際、表紙１３がツメ６で表面部５内に挟み込まれて固定されることにより、仕切レール上折筋１２がバネとなって、コの字部も背束部４に押し固定され、さらに透明蓋２を閉じることにより、容器部７の奥側面が、仕切レール３と噛み合うように裏束面１１を挟み込むため、本考案の背束表紙を透明蓋２内にしっかり固定することができる。そして透明蓋２の表面部５において、表紙１３で覆われる部分以外は、収納ディスクも一緒に露見することができ、また図５に示す印刷一例のように、ディスク記録内容等を記入できるようにしたり、イメージやＰＲ等の所望の印刷を施したり、パソコンで自由に意匠をプリント出力できるように、無地系のものにしたりして実施される。
【産業上の利用可能性】
【図面の簡単な説明】
【００１１】
【図１】本考案のディスク収納スリムケース内装着背束表紙を、セット折りした実施例を示す斜視図である。
【図２】本考案のディスク収納スリムケース内装着背束表紙を、透明蓋２表面部５内のほぼ全面を覆う長さにし、所望数のミシン切目１４を入れて、セット折りした一実施例を示す斜視図である。
【図３】本考案のディスク収納スリムケース内装着背束表紙の表紙１３天地幅を透明蓋２表面部５内の天地幅に合わして若干大きくした、実施例を示す斜視図である。
【図４】本考案のディスク収納スリムケース内装着背束表紙の単体を横一列に連続させ、それぞれの境にミシン切目１４を入れた実施例を示す展開図である。
【図５】本考案のディスク収納スリムケース内装着背束表紙に、ディスク記録内容記入項目等の印刷を施した、所望印刷の一実施例を示す展開図である。
【図６】本考案のディスク収納スリムケース内装着背束表紙を、周知のスリムケース１内にセットして、透明蓋２を閉じる寸前の、横真ん中でカットした一実施例を示す断面図である。
【符号の説明】
【００１２】    １  スリムケース
２  透明蓋
３  仕切レール
４  背束部
５  表面部
６  ツメ
７  容器部
８  背折筋
９  表束面
１０  背面
１１  裏束面
１２  仕切レール上折筋
１３  表紙
１４  ミシン切目
【図１】
0003143260.tif 000003
【図２】
0003143260.tif 000004
【図３】
0003143260.tif 000005
【図４】
0003143260.tif 000006
【図５】
0003143260.tif 000007
【図６】
0003143260.tif 000008